(57)【要約】【課題】本発明は高速再生の際に次に再生すべきデータのアドレスがディスクに記録されていない場合でも高速再生を可能とする。【解決手段】現在時刻を含む時間範囲内に再生される複数のデータユニットのアドレスを記録しているテーブルを各データユニット毎に具備する情報再生装置および情報再生方法において、再生速度に応じて飛び越し再生するデータユニットの数を求め、テーブル内の前記求められた数に応じたアドレスが有効か無効かを判定し、アドレスが有効の場合、当該有効アドレスに基づいて再生し、アドレスが無効の場合、当該無効アドレスのデータユニットの再生時刻より現在時刻に近い時刻に再生されるデータユニットのアドレスの中の有効なアドレスに基づいて再生する。【選択図】      図５
2006202402.tif 000002
【特許請求の範囲】
【請求項１】
情報がデータユニット毎に記録されており、再生速度が変更可能であり、現在時刻を含む時間範囲内に再生される複数のデータユニットのアドレスを記録しているテーブルを各データユニット毎に具備する情報再生装置において、
再生速度に応じて飛び越し再生するデータユニットの数を求める手段と、
前記テーブル内の前記求められた数に応じたアドレスが有効か無効かを判定する手段と、
前記判定手段が有効と判定した場合、当該有効アドレスに基づいて再生し、前記判定手段が無効と判定した場合、当該無効アドレスのデータユニットの再生時刻より現在時刻に近い時刻に再生されるデータユニットのアドレスの中の有効なアドレスに基づいて再生する手段と、
を具備する情報再生装置。
【請求項２】
前記再生手段は前記判定手段が有効と判定した場合、当該有効アドレスのデータユニットを再生し、前記判定手段が無効と判定した場合、有効なアドレスの中の当該無効アドレスのデータユニットの再生時刻に最も近い時刻に再生されるデータユニットのアドレスのデータユニットを再生することを特徴とする請求項１記載の情報再生装置。
【請求項３】
前記再生手段は前記判定手段が有効と判定した場合、当該有効アドレスのデータユニットを再生し、前記判定手段が無効と判定した場合、有効なアドレスの中の当該無効アドレスのデータユニットの再生時刻に最も近い第２時刻に再生されるデータユニットのアドレスのデータユニットからテーブルを取得し、飛び越し再生するデータユニットの数を前記第２時刻に再生されるデータユニットに応じて減算し、前記判定を再度実行させる請求項１記載の情報再生装置。
【請求項４】
情報がデータユニット毎に記録されており、各データユニット毎に現在時刻を含む時間範囲内に再生される複数のデータユニットのアドレスがテーブルに記憶されており、再生速度が変更可能である情報再生方法において、
再生速度に応じて飛び越し再生するデータユニットの数を求めるステップと、
前記テーブル内の前記求められた数に応じたアドレスが有効か無効かを判定するステップと、
前記判定ステップが有効と判定した場合、当該有効アドレスに基づいて再生し、前記判定手段が無効と判定した場合、当該無効アドレスのデータユニットの再生時刻より現在時刻に近い時刻に再生されるデータユニットのアドレスの中の有効なアドレスに基づいて再生するステップと、
を具備する情報再生方法。
【請求項５】
前記再生ステップは前記判定ステップが有効と判定した場合、当該有効アドレスのデータユニットを再生し、前記判定ステップが無効と判定した場合、有効なアドレスの中の当該無効アドレスのデータユニットの再生時刻に最も近い時刻に再生されるデータユニットのアドレスのデータユニットを再生することを特徴とする請求項４記載の情報再生方法。
【請求項６】
前記再生ステップは前記判定ステップが有効と判定した場合、当該有効アドレスのデータユニットを再生し、前記判定ステップが無効と判定した場合、有効なアドレスの中の当該無効アドレスのデータユニットの再生時刻に最も近い第２時刻に再生されるデータユニットのアドレスのデータユニットからテーブルを取得し、飛び越し再生するデータユニットの数を前記第２時刻に再生されるデータユニットに応じて減算し、前記判定を再度実行させる請求項４記載の情報再生方法。
【請求項７】
情報がデータユニット毎に記録されており、再生速度が変更可能であり、現在時刻を含む時間範囲内に再生される複数のデータユニットのアドレスを記録しているテーブルを各データユニット毎に具備する情報再生方法において、
１つのデータユニットのテーブルを読み取り、当該データユニットを再生するステップと、
高速再生の指示を受けると、再生速度に応じて飛び越し再生するデータユニットの数を求めるステップと、
前記テーブル内の前記求められた数に応じたアドレスが有効か無効かを判定するステップと、
前記判定ステップが有効と判定した場合、当該有効アドレスのデータユニットのテーブルを読み取り、当該データユニットを再生し、前記判定ステップが無効と判定した場合、有効なアドレスの中の当該無効アドレスのデータユニットの再生時刻に最も近い時刻に再生されるデータユニットのアドレスのデータユニットのテーブルを読み取り、当該データユニットを再生するステップと、
を具備する情報再生方法。
【請求項８】
情報がデータユニット毎に記録されており、再生速度が変更可能であり、現在時刻を含む時間範囲内に再生される複数のデータユニットのアドレスを記録しているテーブルを各データユニット毎に具備する情報再生方法において、
１つのデータユニットのテーブルを読み取り、当該データユニットを再生するステップと、
高速再生の指示を受けると、再生速度に応じて飛び越し再生するデータユニットの数を求めるステップと、
前記テーブル内の前記求められた数に応じたアドレスが有効か無効かを判定するステップと、
前記判定ステップが無効と判定した場合、飛び越し再生するデータユニットの数を有効なアドレスの中の当該無効アドレスのデータユニットの再生時刻に最も近い第２時刻に再生されるデータユニットに応じて減算し、前記第２時刻に再生されるデータユニットのアドレスのデータユニットからテーブルを取得し、前記判定ステップを再度実行させるステップと、
前記判定ステップが有効と判定した場合、当該有効アドレスのデータユニットのテーブルを読み取り、当該データユニットを再生するステップと、
を具備する情報再生方法。
【発明の詳細な説明】
【技術分野】
【０００１】
本発明は、例えばＤＶＤ（Digital Versatile Disc）のような光ディスク等からデジタル情報を再生する情報再生装置及び情報再生方法に関する。
【背景技術】
【０００２】
従来のＤＶＤ等の光ディスク再生装置は高速再生等の特殊再生機能を有している（例えば、特許文献１参照）。この装置では、光ディスクにはビデオオブジェクトユニット（ＶＯＢＵ）と呼ばれる単位でデータ（データユニット）が記録されている。通常再生時は記録されているＶＯＢＵの順番で再生するが、高速再生時は複数個おきに飛び越して再生し、時間的に離れたＶＯＢＵを順次再生する。ＤＶＤの規格では、現在再生中のＶＯＢＵの次に取得するＶＯＢＵのアドレスはＶＯＢＵの先頭に記録されているナビゲーションパックＮＶ＿ＰＣＫの中のデータ検索情報ＤＳＩ中にＶＯＢＵ＿ＳＲＩ（ビデオオブジェクトユニットサーチ情報）として記録される。ＶＯＢＵ＿ＳＲＩには、このセルで、本ＤＳＩが含まれるビデオオブジェクトユニットＶＯＢＵの再生開始時刻の前後０．５×ｎ秒に再生されるＶＯＢＵの先頭アドレスが複数記録されている。ＶＯＢＵ＿ＳＲＩの各アドレスに現在のＶＯＢＵから何個離れたＶＯＢＵの先頭アドレスを記載するかは規格で決められている。
【０００３】
高倍速の高速再生に対応するためには、飛び越し数を多くし、現在のＶＯＢＵから時間的に大きく離れたＶＯＢＵの先頭アドレスを記録しておく必要がある。そのため、ＶＯＢＵ（のＶＯＢＵ＿ＳＲＩ）は、多数個後のＶＯＢＵの記録が終わる（その先頭アドレスが決まる）まで記録することができない。すなわち、多数個のＶＯＢＵを記録する時間分のデータバッファが必要になる。しかし、記録装置のデータバッファの容量によっては、ＶＯＢＵ＿ＳＲＩの全部のアドレスに規格で決められているＶＯＢＵの先頭アドレスを記録できないことがある。ＶＯＢＵの先頭アドレスを記録しない場合は、ＶＯＢＵ＿ＳＲＩの各アドレスのデータは所定の初期値（この値はアドレスとしては無効である）のままである。なお、高速再生の倍率は、何個前／後のＶＯＢＵを再生するかと、１つのＶＯＢＵの再生時間とに応じているので、所望の倍速の高速再生に対応するためには何個前／後のＶＯＢＵの先頭アドレスまで記録しておけば十分であるということは一義的には決まらない。そのため、場合によっては、高速再生の際に、次に再生すべきデータのアドレスがＶＯＢＵ＿ＳＲＩに記録されていない（すなわち、初期値である無効なデータが記録されている）ことが起こり得る。
【０００４】
このような場合には、高速再生を行おうとしても次に再生するデータが得られない為に、再生範囲が終了したと判断して高速再生を途中で終了して次動作に移行する等高速再生が正常に行えない場合がある。
【特許文献１】特開２００２−３５２５１５公報（段落０１３０〜段落０１５２、図１２、図１３）
【発明の開示】
【発明が解決しようとする課題】
【０００５】
このように従来の情報再生装置には、高速再生の際に次に再生すべきデータのアドレスがディスクに記録されていないため高速再生が正常に行えない場合があるという欠点がある。
【０００６】
本発明の目的は高速再生の際に次に再生すべきデータのアドレスがディスクに記録されていない場合でも、高速再生が可能な情報再生装置および情報再生方法を提供することである。
【課題を解決するための手段】
【０００７】
上記した課題を解決し目的を達成するために、本発明は以下に示す手段を用いている。
【０００８】
本発明の情報再生装置および情報再生方法は、情報がデータユニット毎に記録されており、再生速度が変更可能であり、現在時刻を含む時間範囲内に再生される複数のデータユニットのアドレスを記録しているテーブルを各データユニット毎に具備する情報再生装置および情報再生方法において、
再生速度に応じて飛び越し再生するデータユニットの数を求め、
前記テーブル内の前記求められた数に応じたアドレスが有効か無効かを判定し、
前記アドレスが有効の場合、当該有効アドレスに基づいて再生し、前記アドレスが無効の場合、当該無効アドレスのデータユニットの再生時刻より現在時刻に近い時刻に再生されるデータユニットのアドレスの中の有効なアドレスに基づいて再生するものである。
【発明の効果】
【０００９】
以上説明したように本発明によれば、次に再生すべきデータのアドレスがディスクに記録されていない場合でも、次に再生すべきデータの再生時刻より現在時刻に近い時刻に再生されるデータユニットのアドレスの中の有効なアドレスに基づいて再生するので、高速再生が可能な情報再生装置および情報再生方法を提供することができる。
【発明を実施するための最良の形態】
【００１０】
以下、図面を参照して本発明による情報再生装置および情報再生方法の実施の形態を説明する。
【００１１】
第１の実施の形態
図１は本発明の第１の実施の形態に係る光ディスク（ＤＶＤ）再生装置１１を示している。光ディスク再生装置１１は、ＭＰＵ部１２、ＭＰＥＧデコーダ部（ビデオデコーダ部）１３、オーディオデータのＤ／Ａ変換部１４、光ディスク１０から情報の読み取りを行なうディスクドライブ部１５、システムプロセッサ部１６、ワークメモリ部１７、ＳＰ（副映像）デコーダ部１８、オーディオデコーダ部１９、ビデオメモリ部２０、ユーザ操作の入力デバイスである操作キーパネル（リモートコントローラ等を含む）２１、ビデオプロセッサ部２２、内部バス２３、ユーザ設定情報等を記憶させておくための不揮発性メモリ部２４等で構成される。
【００１２】
光ディスク再生装置１１の外部には、図示しないオーディオ増幅器（あるいはＡＶ増幅器）を介して外部スピーカ２５が接続されるとともに、図示しないビデオＩ／Ｆを介してＴＶモニタ（あるいはビデオプロジェクタ）２６が接続される。
【００１３】
ＭＰＵ部１２内には、ユーザインターフェース作成部１２ａがファームウエアとして組み込まれ、さらに、データメモリ（ＯＳＤその他の用途のデータメモリ）１２ｂが設けられる。
【００１４】
図示しないが、ＭＰＵ部１２内には、その他のファームウエア（後述する図５、図６の処理を担当するプログラム）が書き込まれたプログラムメモリも設けられる。
【００１５】
システムプロセッサ部１６内には、トラックバッファ部１６ａ、データ切り分け部１６ｂ及びメモリＩ／Ｆ部１６ｃが設けられる。
【００１６】
図１に示す光ディスク再生装置１１におけるデータの基本的な流れは、以下のようになっている。まず、ＭＰＵ部１２がディスクドライブ部１５に目的のアドレスとリード命令とを送る。
【００１７】
ディスクドライブ部１５は、送られてきたアドレス及びリード命令にしたがって、光ディスク１０から目的の論理セクタデータを読み出し、その読み出したパックデータを図示しないデータ入力部を通してシステムプロセッサ部１６に送る。
【００１８】
システムプロセッサ部１６内では、データ切り分け部１６ｂがトラックバッファ部１６ａを介して送られてきたパックデータをパケットデータに切り分け、データの内容（目的）に応じて、ビデオパケットデータ（ＭＰＥＧエンコードされたデータ）はＭＰＥＧデコーダ部１３に転送し、オーディオパケットデータはオーディオデコーダ部１９に転送し、副映像パケットデータはＳＰデコーダ部１８に転送する。
【００１９】
ナビゲーションパックＮＶ＿ＰＣＫ、その他のパック（オーディオパックＡ＿ＰＣＫ、ビデオパックＶ＿ＰＣＫ、副映像パックＳＰ＿ＰＣＫ等）はＭＰＵ部１２が適宜処理するためにメモリＩ／Ｆ１６ｂを介してワークメモリ部１７に転送され、そこに保存される。
【００２０】
各デコーダ部１３，１８，１９に送られた各パケットデータはパケットデータ内の再生タイムスタンプＰＴＳ（Presentation Time Stamp）の値に同期して再生処理が行なわれる。これにより、ＴＶモニタ２６の画面上に例えば英語音声＋日本語字幕付きの動画（映画）を出画させることができる。
【００２１】
ＭＰＵ部１２の内部では、データメモリ１２ｂの内部データを用いて、ユーザが視覚的に操作し確認するためのユーザインターフェースを提供するオン・スクリーン・ディスプレイ（ＯＳＤ等）が生成される。この生成はユーザインターフェース作成部１２ａというファームウエアで実行され、生成されたＯＳＤデータはビデオメモリ部２０に保存される。
【００２２】
ＭＰＵ部１２の内部には、ナビゲーションパックＮＶ＿ＰＣＫから取り出した検索（ＳＲＩ）情報により、早送り再生及び早戻し再生を行なうために、次に再生するべきＶＯＢＵの先頭アドレスを取得し、ディスクドライブ部１５に目的のアドレスとリード命令とを設定された速度に基づき決定する、飛び先アドレス判定部１２ｃがファームウエアの形で設けられる。１枚の光ディスク１０に記録される情報のデータ構造については後述する。
【００２３】
光ディスク再生装置１１においては、一般的にＯＳＤの言語設定や、接続しているテレビジョン画面の形状等のユーザ独自の設定環境を再生装置１１内部の不揮発性メモリ部２４に保持している。
【００２４】
光ディスク再生装置１１のシステムが立ち上がると、不揮発性メモリ部２４から設定環境情報を読み出し、その情報に基づいて再生装置１１は各種の設定を行なっている。この実施の形態において、ユーザが設定した再生速度の設定情報はこの不揮発性メモリ部２４に記憶され保持される。
【００２５】
図２は上記光ディスク１０におけるデータの階層構造を示している。光ディスク１０には、内周側にリードインエリアが設けられ、外周側にリードアウトエリアが設けられ、これら両エリアの間にボリュームスペース２７が設けられる。
【００２６】
ボリュームスペース２７はボリューム／ファイル構造情報エリア２８、ＤＶＤビデオエリア２９、その他の記録エリア３０等を含んでいる。その他の記録エリア３０には、ビデオタイトルセットＶＴＳで利用可能な情報あるいはビデオタイトルセットとは関係のない他の情報（例えばコンピュータ情報）を記録することができる。この記録エリア３０は必須ではなく、使用しない場合は削除しても良い。
【００２７】
ボリューム／ファイル構造情報エリア２８はＩＳＯ９６６０及びＵＤＦブリッジに定められる管理領域に相当する。このエリア２８の記述に基づいて、ビデオマネージャＶＭＧの内容が光ディスク再生装置１１の対応するメモリ部に格納される。
【００２８】
上記エリア２８〜３０は論理セクタの境界上で区分される。ここで、１論理セクタは２０４８バイトと定義され、１論理ブロックも２０４８バイトと定義される。したがって、１論理セクタは１論理ブロックと対等に定義される。
【００２９】
ＤＶＤビデオエリア２９はビデオマネージャＶＭＧという管理情報と、１以上（最大９９個）のビデオタイトルセットＶＴＳ＃Ｎというコンテンツ情報を含んでいる。
【００３０】
ビデオマネージャＶＭＧのファイル３１はビデオマネージャ情報ＶＭＧＩ、ビデオマネージャメニュー用ビデオオブジェクトセットＶＭＧＭ＿ＶＯＢＳ及びビデオマネージャ情報ＶＭＧＩのバックアップＶＭＧＩ＿ＢＵＰとで構成される。
【００３１】
ビデオマネージャ情報ＶＭＧＩはビデオマネージャ情報管理テーブルＶＭＧＩ＿ＭＡＴ（図示せず）、タイトルサーチポインタテーブルＴＴ＿ＳＲＰＴ、ビデオマネージャメニューＰＧＣＩユニットテーブルＶＭＧＭ＿ＰＧＣＩ＿ＵＴ（図示せず）、パレンタル管理情報テーブルＰＴＬ＿ＭＡＩＴ（図示せず）、ビデオタイトルセット属性テーブルＶＴＳ＿ＡＴＲＴ（図示せず）、テキストデータマネージャＴＸＴＤＴ＿ＭＧ（図示せず）、ビデオマネージャメニューセルアドレステーブルＶＭＧＭ＿Ｃ＿ＡＤＴ（図示せず）及びビデオマネージャメニュービデオオブジェクトユニットアドレスマップＶＭＧＭ＿ＶＯＢＵ＿ＡＤＭＡＰ（図示せず）とを含んでいる。
【００３２】
ビデオマネージャ情報ＶＭＧＩに含まれるタイトルサーチポインタテーブルＴＴ＿ＳＲＰＴはタイトルサーチポインタテーブル情報ＴＴ＿ＳＲＰＴＩ（図示せず）及び１以上のタイトルサーチポインタＴＴ＿ＳＲＰを含んでいる。
【００３３】
各タイトルサーチポインタＴＴ＿ＳＲＰは該当タイトルの再生形式ＴＴ＿ＰＢ＿ＴＹ（１つのシーケンシャルなＰＧＣのタイトルか、１つのランダムなＰＧＣタイトルか、マルチＰＧＣタイトルか等を示す）、アングル数ＡＧＬ＿Ｎｓ（図示せず）、パートオブタイトル数（チャプタ数）ＰＴＴ＿Ｎｓ（図示せず）、該当タイトルのパレンタルＩＤフィールドＴＴ＿ＰＴＬ＿ＩＤ＿ＦＬＤ（図示せず）、ビデオタイトルセット番号ＶＴＳＮ（図示せず）、ビデオタイトルセットタイトル番号ＶＴＳ＿ＴＴＮ（図示せず）及びビデオタイトルセットＶＴＳの開始アドレスＶＴＳ＿ＳＡとを含んでいる。
【００３４】
上記タイトルの再生形式ＴＴ＿ＰＢ＿ＴＹには、タイムサーチ／タイムプレイのユーザ操作を許可するかどうかを決めるユーザ操作フラグビットＵＯＰ０、チャプタサーチ（ＰＴＴサーチ）／チャプタ再生（ＰＴＴ再生）のユーザ操作を許可するかどうかを決めるユーザ操作フラグビットＵＯＰ１が記述できるようになっている。
【００３５】
個々のビデオタイトルセット（図２ではＶＴＳ＃Ｎで例示）のファイル３２はそのタイトルの管理情報であるビデオタイトルセット情報ＶＴＳＩ、ビデオタイトルセットメニュー用ビデオオブジェクトセットＶＴＳＭ＿ＶＯＢＳ（オプション）、ビデオタイトルセットタイトル用のビデオオブジェクトセットＶＴＳＴＴ＿ＶＯＢＳ（ビデオコンテンツ）及びビデオタイトルセット情報ＶＴＳＩのバックアップＶＴＳＩ＿ＢＵＰとで構成される。
【００３６】
各ビデオタイトルセットＶＴＳ中のいずれのビデオオブジェクトＶＯＢも、その用途の違いを除いては同様な構造を有している。各ビデオタイトルセットＶＴＳには、ＭＰＥＧ規格により圧縮されたビデオデータ、所定の規格により圧縮された（あるいは非圧縮の）オーディオデータ及び所定の規定によりランレングス圧縮された副映像データとともに、これらのデータを再生するための様々な情報が格納される。ビデオタイトルセットＶＴＳを構成するファイル３２の数は例えば最大で１２個に定められる。上記ファイル３１，３２は、論理セクタの境界で区分される。
【００３７】
各ビデオタイトルセットＶＴＳの管理情報ＶＴＳＩはビデオタイトルセット情報管理テーブルＶＴＳＩ＿ＭＡＴ（図示せず）、ビデオタイトルセットパートオブタイトルサーチポインタテーブルＶＴＳ＿ＰＴＴ＿ＳＲＰＴ（図示せず）、ビデオタイトルセットプログラムチェーン情報テーブルＶＴＳ＿ＰＧＣＩＴ、ビデオタイトルセットメニューＰＧＣＩユニットテーブルＶＴＳＭ＿ＰＧＣＩ＿ＵＴ（図示せず）、ビデオタイトルセットタイムマップテーブルＶＴＳ＿ＴＭＡＰＴ（図示せず）、ビデオタイトルセットメニューセルアドレステーブルＶＴＳＭ＿Ｃ＿ＡＤＴ（図示せず）、ビデオタイトルセットメニュービデオオブジェクトユニットアドレスマップＶＴＳＭ＿ＶＯＢＵ＿ＡＤＭＡＰ（図示せず）、ビデオタイトルセットセルアドレステーブルＶＴＳ＿Ｃ＿ＡＤＴ（図示せず）及びビデオタイトルセットビデオオブジェクトユニットアドレスマップＶＴＳ＿ＶＯＢＵ＿ＡＤＭＡＰ（図示せず）とを含んでいる。
【００３８】
ビデオタイトルセットプログラムチェーン情報テーブルＶＴＳ＿ＰＧＣＩＴはビデオタイトルセットプログラムチェーン情報テーブル情報ＶＴＳ＿ＰＧＣＩＴＩ（図示せず）、１以上のビデオタイトルセットプログラムチェーン情報サーチポインタＶＴＳ＿ＰＧＣＩ＿ＳＲＰ（図示せず）及び１以上のビデオタイトルセットプログラムチェーン情報ＶＴＳ＿ＰＧＣＩとを含んでいる。
【００３９】
各ビデオタイトルセットプログラムチェーン情報ＶＴＳ＿ＰＧＣＩ（以下、プログラムチェーン情報ＰＧＣＩとする）はプログラムチェーン一般情報ＰＧＣ＿ＧＩ、プログラムチェーンコマンドテーブルＰＧＣ＿ＣＭＤＴ（図示せず）、プログラムチェーンプログラムマップＰＧＣ＿ＰＧＭＡＰ（図示せず）、セル再生情報テーブルＣ＿ＰＢＩＴ（図示せず）及びセル位置情報テーブルＣ＿ＰＯＳＩＴ（図示せず）とを含んでいる。
【００４０】
プログラムチェーン一般情報ＰＧＣ＿ＧＩはプログラムチェーンＰＧＣのコンテンツＰＧＣ＿ＣＮＴ（図示せず）、プログラムチェーン再生時間ＰＧＣ＿ＰＢ＿ＴＭ（図示せず）、プログラムチェーンユーザ操作制御ＰＧＣ＿ＵＯＰ＿ＣＴＬ、プログラムチェーンオーディオストリーム制御テーブルＰＧＣ＿ＡＳＴ＿ＣＴＬＴ（図示せず）、プログラムチェーン副映像ストリーム制御テーブルＰＧＣ＿ＳＰＳＴ＿ＣＴＬＴ（図示せず）、プログラムチェーンナビゲーション制御ＰＧＣ＿ＮＶ＿ＣＴＬ（図示せず）、プログラムチェーン副映像パレットＰＧＣ＿ＳＰ＿ＰＬＴ（図示せず）、プログラムチェーンコマンドテーブルＰＧＣ＿ＣＭＤＴの開始アドレスＰＧＣ＿ＣＭＤＴ＿ＳＡ（図示せず）、プログラムチェーンプログラムマップＰＧＣ＿ＰＧＭＡＰの開始アドレスＰＧＣ＿ＰＧＭＡＰ＿ＳＡ（図示せず）、セル再生情報テーブルＣ＿ＰＢＩＴの開始アドレスＣ＿ＰＢＩＴ＿ＳＡ（図示せず）及びセル位置情報テーブルＣ＿ＰＯＳＩＴの開始アドレスＣ＿ＰＯＳＩＴ＿ＳＡ（図示せず）とを含んでいる。
【００４１】
プログラムチェーンユーザ操作制御ＰＧＣ＿ＵＯＰ＿ＣＴＬ内には、プログラムチェーンＰＧＣが再生されるときのユーザ操作の可否を決めるユーザ操作フラグビットＵＯＰ０〜ＵＯＰ３、ＵＯＰ５〜ＵＯＰ２４を記述できるようになっている。
【００４２】
各ビデオタイトルセットＶＴＳのビデオタイトルセットタイトル用のビデオオブジェクトセットＶＴＳＴＴ＿ＶＯＢＳの内容（コンテンツ）は１以上のセル（Ｃ＿ＩＤＮ＃１〜＃５、Ｃ＿ＩＤＮ＃１〜＃２、……、Ｃ＿ＩＤＮ＃１〜＃ｉ）を指し示すビデオオブジェクト（ＶＯＢ＿ＩＤＮ＃１、ＶＯＢ＿ＩＤＮ＃２、……、ＶＯＢ＿ＩＤＮ＃ｊ）により特定され、これらのビデオオブジェクトＶＯＢ＿ＩＤＮ＃で示されるセルの再生順序がプログラムチェーンＰＧＣ＃１、ＰＧＣ＃２、……、ＰＧＣ＃ｋにより定められる。
【００４３】
図３は図２に示した光ディスク１０に記録されるナビゲーションパックＮＶ＿ＰＣＫの階層データ構造を示している。セルを単位とした情報の集合であるビデオタイトルセットタイトル用のビデオオブジェクトセットＶＴＳＴＴ＿ＶＯＢＳにより、１以上のプログラムチェーンＰＧＣの情報が記録される。
【００４４】
つまり、１つのビデオタイトルセットＶＴＳは１以上のプログラムチェーンＰＧＣで構成され、１つのプログラムチェーンＰＧＣは１以上のプログラムで構成され、１つのプログラムは１以上のセルで構成され、１つのセルは複数のビデオオブジェクトユニットＶＯＢＵで構成される。
【００４５】
各セルのデータは複数のビデオオブジェクトユニットＶＯＢＵに切り分けられて記録される。各ビデオオブジェクトユニットＶＯＢＵは先頭にナビゲーションパックＮＶ＿ＰＣＫを持ち、さらに様々な種類のデータパック（オーディオパックＡ＿ＰＣＫ、ビデオパックＶ＿ＰＣＫ、副映像パックＳＰ＿ＰＣＫ等）によって構成される。
【００４６】
パックはデータ転送処理を行なう場合の最小単位である。一方、論理上の処理を行なう最小単位はセルであり、論理上の処理（再生等）はこのセル単位で行なわれ、それによって再生順番を変えたり、分岐等を行なうことができる。
【００４７】
各ナビゲーションパックＮＶ＿ＰＣＫはパックヘッダと、システムヘッダと、ＰＣＩパケットのパケットヘッダと、ＰＣＩパケットのサブストリームＩＤと、再生制御情報（ＰＣＩデータ）と、ＤＳＩパケットのパケットヘッダと、ＤＳＩパケットのサブストリームＩＤと、データ検索情報（ＤＳＩデータ）とで構成される。
【００４８】
ＤＳＩデータはＤＳＩ一般情報、シームレス再生情報、シームレスアングル情報、ビデオオブジェクトユニット検索情報（ＶＯＢＵ＿ＳＲＩ）及び同期情報等を含んでいる。
【００４９】
ＰＣＩデータはＰＣＩ一般情報、ノンシームレスアングル情報、ハイライト情報ＨＬＴ及び記録情報等を含んでいる。
【００５０】
ＰＣＩ一般情報はナビゲーションパックのアドレスを相対論理ブロック番号で記述したＮＶ＿ＰＣＫ＿ＬＢＮ（図示せず）、該当ビデオオブジェクトユニットＶＯＢＵのカテゴリＶＯＢＵ＿ＣＡＴ（図示せず）、該当ビデオオブジェクトユニットＶＯＢＵのユーザ操作制御ＶＯＢＵ＿ＵＯＰ＿ＣＴＬ、該当ビデオオブジェクトユニットＶＯＢＵの再生開始時間ＶＯＢＵ＿Ｓ＿ＰＴＭ（図示せず）、該当ビデオオブジェクトユニットＶＯＢＵの再生終了時間ＶＯＢＵ＿Ｅ＿ＰＴＳ（図示せず）、該当ビデオオブジェクトユニットＶＯＢＵに含まれるシーケンスエンドの終了時間ＶＯＢＵ＿ＳＥ＿Ｅ＿ＰＴＳ（図示せず）、セル経過時間Ｃ＿ＥＬＴＭ等を含んでいる。
【００５１】
ビデオオブジェクトユニットＶＯＢＵのユーザ操作制御ＶＯＢＵ＿ＵＯＰ＿ＣＴＬ内には、該当ビデオオブジェクトユニットＶＯＢＵが再生されるときのユーザ操作の可否を決めるユーザ操作フラグビットＵＯＰ３〜ＵＯＰ１６、ＵＯＰ１８〜ＵＯＰ２４を記述できるようになっている。
【００５２】
換言すれば、ナビゲーションパックＮＶ＿ＰＣＫ内にあるビデオオブジェクトユニットＶＯＢＵのユーザ操作制御ＶＯＢＵ＿ＵＯＰ＿ＣＴＬのビットの内容に応じて、ビデオオブジェクトユニットＶＯＢＵ再生中に使用可能なキーの種類が特定される。
【００５３】
図４は図２に示した光ディスク１０に記録されるナビゲーションパックＮＶ＿ＰＣＫの中の一部を示している。図４に示す情報は図３に示したナビゲーションパックＮＶ＿ＰＣＫ内のＤＳＩデータの中に含まれている情報であり、このセルで本ＤＳＩが含まれるビデオオブジェクトユニットＶＯＢＵの再生開始時刻の前後０．５×ｎ秒に再生されるＶＯＢＵの先頭アドレスが複数記録された情報ＶＯＢＵ＿ＳＲＩ（ビデオオブジェクトユニットサーチ情報）である。ＶＯＢＵ＿ＳＲＩは一つのセル内でのみ有効である。上述したように、ＶＯＢＵ＿ＳＲＩの全部のアドレスに有効なデータが記載されていない場合がある。ＶＯＢＵ＿ＳＲＩの各アドレスのデータの初期値は３ＦＦＦ  ＦＦＦＦｈであるので、データが３ＦＦＦ  ＦＦＦＦｈであるか否かを判定することにより、データが無効か有効かを知ることができる。
【００５４】
ＦＷＤＩｎ（ｎ＝１，２，…，２４０）のＳＲＩデータは本ＤＳＩが含まれる本ＶＯＢＵの再生開始時刻の０．５×ｎ秒後に再生されるＶＯＢＵの先頭アドレスと、そのアドレスされたＶＯＢＵ内または本ＶＯＢＵからそのＶＯＢＵまでの間のＶＯＢＵ内にビデオデータが存在するか否かを示すフラグを記述する。先頭アドレスは該当ＶＯＢＵの先頭アドレスを本ＶＯＢＵの先頭論理ブロック（ＬＢ）からの相対論理ブロック番号（ＲＢＬＮ）で記述する。該当時刻がセルの再生終了時刻を越える場合は３ＦＦＦ  ＦＦＦＦｈを記述する。
【００５５】
ＦＷＤＩ  ＮｅｘｔのＳＲＩデータは次のＶＯＢＵの先頭アドレスと、次のＶＯＢＵにビデオデータが存在するか否かを示すフラグを記述する。現ＶＯＢＵが本セル内の最終ＶＯＢＵの場合はフラグはデータが存在しないことを示す値を記述する。先頭アドレスは該当ＶＯＢＵの先頭アドレスを本ＶＯＢＵの先頭論理ブロック（ＬＢ）からの相対論理ブロック番号（ＲＢＬＮ）で記述する。現ＶＯＢＵが本セル内の最終ＶＯＢＵの場合は３ＦＦＦ  ＦＦＦＦｈを記述する。
【００５６】
ＦＷＤＩ  ＶｉｄｅｏのＳＲＩデータは次に続くＶＯＢＵの内、最初にビデオ・ストリームを伴うＶＯＢＵの先頭アドレスを記述する。先頭アドレスは該当ＶＯＢＵの先頭アドレスを本ＶＯＢＵの先頭論理ブロック（ＬＢ）からの相対論理ブロック番号（ＲＢＬＮ）で記述する。該当時刻がセルの再生終了時刻を越える場合は３ＦＦＦ  ＦＦＦＦｈを記述する。
【００５７】
ＢＷＤＩｎ（ｎ＝１，２，…，２４０）のＳＲＩデータは本ＤＳＩが含まれる本ＶＯＢＵの再生開始時刻の０．５×ｎ秒前に再生されるＶＯＢＵの先頭アドレスと、そのアドレスされたＶＯＢＵ内または本ＶＯＢＵまでのＶＯＢＵ内にビデオデータが存在するか否かを示すフラグを記述する。先頭アドレスは該当ＶＯＢＵの先頭アドレスを本ＶＯＢＵの先頭論理ブロック（ＬＢ）からの相対論理ブロック番号（ＲＢＬＮ）で記述する。該当時刻がセルの再生開始時刻を越える場合は３ＦＦＦ  ＦＦＦＦｈを記述する。
【００５８】
ＢＷＤＩ  ＰｒｅｖのＳＲＩデータは１つ前のＶＯＢＵの先頭アドレスと、そのＶＯＢＵにビデオデータが存在するか否かを示すフラグを記述する。現ＶＯＢＵが本セル内の先頭ＶＯＢＵの場合はフラグはデータが存在しないことを示す値を記述する。先頭アドレスは該当ＶＯＢＵの先頭アドレスを本ＶＯＢＵの先頭論理ブロック（ＬＢ）からの相対論理ブロック番号（ＲＢＬＮ）で記述する。現ＶＯＢＵが本セル内の先頭ＶＯＢＵの場合は３ＦＦＦ  ＦＦＦＦｈを記述する。
【００５９】
ＢＷＤＩ  ＶｉｄｅｏのＳＲＩデータは前にあるＶＯＢＵの内、ビデオ・ストリームを伴う最初のＶＯＢＵの先頭アドレスを記述する。先頭アドレスは該当ＶＯＢＵの先頭アドレスを本ＶＯＢＵの先頭論理ブロック（ＬＢ）からの相対論理ブロック番号（ＲＢＬＮ）で記述する。現ＶＯＢＵが本セル内の先頭ＶＯＢＵの場合は３ＦＦＦ  ＦＦＦＦｈを記述する。
【００６０】
光ディスク１０の再生中において、ユーザが早送りもしくは早戻し機能を実行させるキーの操作、あるいは、それに相当するユーザインターフェースを実行した場合、上記ＤＳＩ内のビデオオブジェクトユニットサーチ情報ＶＯＢＵ＿ＳＲＩの中から、設定された速度に応じたビデオオブジェクトユニットＶＯＢＵの飛び越しアドレスを取得し、そのアドレスをディスクドライブ部１５に目的のアドレスとしてリード命令と共に発行することにより、再生するべきデータが各デコーダ部１３，１８，１９に入力されて、早送り再生もしくは早戻し再生が可能となる。
【００６１】
図５は図１の光ディスク再生装置における高速再生の処理動作を説明するためのフローチャートである。順方向の高速再生と逆方向の高速再生で若干異なり、図５は順方向の高速再生の例を示す。
【００６２】
通常再生時に順方向の高速再生が指示されると、ステップＳ１０１で、現在再生中のＶＯＢＵのＶＯＢＵ＿ＳＲＩの各アドレスに記録されているＦＷＤＩｎの内容が無効（３ＦＦＦ  ＦＦＦＦｈ）か有効かを判断する。有効な内容のＦＷＤＩｎの最大値を記録しているアドレスを有効アドレスとする。例えば、ＦＷＤＩ  １３までは有効な先頭アドレスが記録されていて、ＦＷＤＩ  １４、ＦＷＤＩ  １５、ＦＷＤＩ  ２０、ＦＷＤＩ  ６０、ＦＷＤＩ  １２０、ＦＷＤＩ  ２４０は無効なデータ３ＦＦＦ  ＦＦＦＦｈが記録されているとすると、ＦＷＤＩ  １３の記録アドレスである“７”が有効アドレスとされる。
【００６３】
ステップＳ１０２、Ｓ１０３、Ｓ１０４、Ｓ１０５で再生速度が何倍速であるか（ここでは、２倍速、４倍速、８倍速、１６倍速のいずれか）を判定する。通常再生中に、ユーザが早送りキーを操作することにより、コンテンツの再生速度が２倍速に切り替わる。この２倍速再生を行なっている状態で、ユーザが再度早送りキーを操作することにより、コンテンツの再生速度が４倍速に切り替わる。この状態で、さらに、ユーザが早送りキーを操作することにより、コンテンツの再生速度が８倍速に切り替わる。さらに、ユーザが早送りキーを操作することにより、コンテンツの再生速度が１６倍速に切り替わる。そして、この１６倍速で再生を行なっている間に、ユーザが再度早送りキーを操作することにより、コンテンツの再生速度が２倍速に切り替わる。以後、同様に、ユーザが早送りキーを操作する毎に、再生速度がサイクリックに切り替えられることになる。この再生装置では、２倍速の場合は＋２ＶＯＢＵ（時間的に２個後のＶＯＢＵ）を、４倍速の場合は＋３ＶＯＢＵを、８倍速の場合は＋７ＶＯＢＵを、１６倍速の場合は＋１５ＶＯＢＵを、次に再生するとする。そのため、２倍速の場合はステップＳ１０６で＋２ＶＯＢＵ先頭アドレスが記録されているＦＷＤ  ２の記録アドレス“１８”を参照アドレスとし、４倍速の場合はステップＳ１０７でＦＷＤ  ３の記録アドレス“１７”を参照アドレスとし、８倍速の場合はステップＳ１０８でＦＷＤ  ７の記録アドレス“１３”を参照アドレスとし、１６倍速の場合はステップＳ１０９でＦＷＤ  １５の記録アドレス“５”を参照アドレスとする。
【００６４】
ステップＳ１１０で参照アドレスのＶＯＢＵ＿ＳＲＩのデータが有効であるか否か判定する。すなわち、１６倍速の場合は記録アドレス“５”のＦＷＤＩ  １５に記憶されている＋１５ＶＯＢＵ先頭アドレスが３ＦＦＦ  ＦＦＦＦｈでないか否かを判定する。ここでは無効であると判定される。
【００６５】
参照アドレスのＶＯＢＵ＿ＳＲＩのデータが有効である場合（８倍速までの高速再生）、ステップＳ１１１で参照アドレスのＶＯＢＵ＿ＳＲＩのデータ（ＶＯＢＵ先頭アドレス）によって次に再生するＶＯＢＵをサーチし、ステップＳ１１２で次に再生するＶＯＢＵのＶＯＢＵ＿ＳＲＩを取得する。例えば、８倍速の場合は記録アドレス“１３”のＦＷＤＩ  ７の内容（＋７ＶＯＢＵ）から時間的に７個後のＶＯＢＵをサーチする。ステップＳ１１３で当該ＶＯＢＵのデータを転送して、再びステップＳ１０２に戻る。
【００６６】
参照アドレスのＶＯＢＵ＿ＳＲＩのデータが無効である場合（１６倍速の高速再生）、ステップＳ１１４で参照アドレスが有効アドレス以下であるか否か判定する。参照アドレスのＶＯＢＵ＿ＳＲＩのデータが無効である場合は参照アドレスが有効アドレス以下であるのが普通であり、参照アドレスが有効アドレス以下でない場合とは何らかの異常がある場合であり、この場合はステップＳ１１７で高速再生を終了する。
【００６７】
ステップＳ１１４の判定で参照アドレスが有効アドレス以下である場合は、ステップＳ１１５で有効アドレス（ここでは“７”）のＶＯＢＵ＿ＳＲＩのデータが有効であるか否か判定する。有効アドレスのＳＲＩデータが無効である場合とは、再生範囲の終了付近であり、飛び先が再生範囲外となった場合であるので、この場合はステップＳ１１７で高速再生を終了する。
【００６８】
ステップＳ１１５の判定で有効アドレスのＶＯＢＵ＿ＳＲＩのデータが有効である場合、ステップＳ１１６で有効アドレスの値“７”を参照アドレスの値として代入し（“５”の代わりに“７”として）、ステップＳ１１１に戻り、更新された参照アドレス“７”に記録されているＦＷＤＩ  １３のデータにより＋１３ＶＯＢＵをサーチして高速再生が実施される。
【００６９】
なお、逆方向の高速再生の場合は、ステップＳ１０１が「有効な内容のＢＷＤＩｎの最大値を記録しているアドレスを有効アドレスとする」に替わり、ステップＳ１１４の判定が「参照アドレスが有効アドレス以上であるか否か」に替わる。他は同じであるので、説明は省略する。
【００７０】
以上説明したように、第１の実施の形態によれば、高速再生の倍率に応じたＦＷＤＩｎのデータが無効であっても、それよりも低い中で最も高い倍率に応じた有効なＦＷＤＩｎのデータに基づいて飛び越し再生することにより、途中で終了することなく、正常に高速再生を実施することができる。
【００７１】
なお、単に無効なＦＷＤＩｎをそれに時間的に最も近いＦＷＤＩｎに置き換えるだけでは、所望の倍率の高速再生が達成できない場合もあるが、上述したように、高速再生の倍率は、何個前／後のＶＯＢＵを再生するかと、１つのＶＯＢＵの再生時間とに応じているので、飛び越し個数が所望の個数から減った分だけ１つのＶＯＢＵの再生時間を短くして、所望の倍率の高速再生を実現することも考えられる。
【００７２】
以下、本発明による情報再生装置および情報再生方法の他の実施の形態を説明する。他の実施の形態の説明において第１の実施の形態と同一部分は同一参照数字を付してその詳細な説明は省略する。図６は第２実施形態の高速再生の処理動作を説明するためのフローチャートである。順方向の高速再生と逆方向の高速再生で若干異なり、図６は順方向の高速再生の例を示す。
【００７３】
通常再生時に順方向の高速再生が指示されると、ステップＳ２０１で、現在再生中のＶＯＢＵのＶＯＢＵ＿ＳＲＩの各アドレスに記録されているＦＷＤＩｎの内容が無効（３ＦＦＦ  ＦＦＦＦｈ）か有効かを判断する。有効な内容のＦＷＤＩｎの最大値のパラメータであるｎを有効ポイントとする。図５と同様に、ＦＷＤＩ  １３までは有効な先頭アドレスが記録されていて、ＦＷＤＩ  １４以降は無効なデータ３ＦＦＦ  ＦＦＦＦｈが記録されているとすると、ＦＷＤＩ  １３のパラメータである“１３”が有効ポイントとされる。
【００７４】
ステップＳ２０２、Ｓ２０３、Ｓ２０４、Ｓ２０５で再生速度が何倍速であるか（ここでは、２倍速、４倍速、８倍速、１６倍速のいずれか）を判定する。図５の場合と同様、２倍速の場合は＋２ＶＯＢＵを、４倍速の場合は＋３ＶＯＢＵを、８倍速の場合は＋７ＶＯＢＵを、１６倍速の場合は＋１５ＶＯＢＵを、次に再生するとする。そのため、２倍速の場合はステップＳ２０６で＋２ＶＯＢＵ先頭アドレスが記録されているＦＷＤ  ２のパラメータ“２”を参照ポイントとし、４倍速の場合はステップＳ２０７でＦＷＤ  ３のパラメータ“３”を参照ポイントとし、８倍速の場合はステップＳ２０８でＦＷＤ  ７のパラメータ“７”を参照ポイントとし、１６倍速の場合はステップＳ２０９でＦＷＤ  １５のパラメータ“１５”を参照ポイントとする。
【００７５】
ステップＳ２１０でＶＯＢＵ＿ＳＲＩの参照ポイントをパラメータとするＦＷＤＩｎのデータが有効であるか否か判定する。すなわち、１６倍速の場合はＦＷＤＩ  １５の＋１５ＶＯＢＵ先頭アドレスが３ＦＦＦ  ＦＦＦＦｈでないか否かを判定する。ここでは無効であると判定される。
【００７６】
参照ポイントをパラメータとするＦＷＤＩｎのデータが有効である場合（８倍速までの高速再生）、ステップＳ２１１で参照ポイントをパラメータとするＦＷＤＩｎのデータ（ＶＯＢＵ先頭アドレス）によって次に再生するＶＯＢＵをサーチし、ステップＳ２１２でそのＶＯＢＵのＶＯＢＵ＿ＳＲＩを取得する。例えば、８倍速の場合は参照ポイントが“７”であるので、ＦＷＤＩ  ７の内容から＋７ＶＯＢＵをサーチする。ステップＳ２１３で当該ＶＯＢＵの再生データを転送して、再びステップＳ２０２に戻る。
【００７７】
ステップＳ２１０の判定で参照ポイント“１５”をパラメータとするＦＷＤＩ  １５のデータが無効である場合（１６倍速の高速再生）、ステップＳ２１４で参照ポイントが有効ポイント以上であるか否か判定する。参照ポイントが有効ポイント以上でない場合とは、再生範囲の終了付近であり、飛び先が再生範囲外となる場合であるので、この場合はステップＳ２１８で高速再生を終了する。
【００７８】
参照ポイント“１５”が有効ポイント“１３”以上である場合、参照ポイント“１５”から有効ポイント“１３”を減算したものを新たに参照ポイントとする。この場合、“２”が新たな参照ポイントとなる。この後、ステップＳ２１６で有効ポイント“１３”をパラメータとするＦＷＤＩ  １３のデータにより＋１３ＶＯＢＵをサーチし、ステップＳ２１７でそのＶＯＢＵのＶＯＢＵ＿ＳＲＩを取得する。この後、ステップＳ２１０に戻る。この時、参照ポイントは“２”であり、ステップＳ２１０の判定では有効とされ、ステップＳ２１１以降が実施される。
【００７９】
すなわち、参照ポイントが有効ポイントより大きい場合は高速再生で参照すべき参照ポイントのデータは無効であるので、参照ポイントのパラメータだけ一度にデータを飛び越し取得するのではなく、有効ポイントのパラメータ毎に複数回に分けてＶＯＢＵ＿ＳＲＩを飛び越し取得し、最後に再生データを取得することにより、所望の倍速の高速再生を可能とする。
【００８０】
なお、逆方向の高速再生の場合は、ステップＳ２０１が「有効な内容のＢＷＤＩｎの最大値を記録しているアドレスを有効アドレスとする」に替わる。他は同じであるので、説明は省略する。
【００８１】
以上説明したように、第２の実施の形態によれば、高速再生の倍率に応じたＦＷＤＩｎのデータが無効である場合であっても、それよりもｎが小さいＦＷＤＩｎの中で最大のｎを持つ（時間的に最も近い）有効なＦＷＤＩｎのデータを用い、ＶＯＢＵ＿ＳＲＩを辿ることにより、途中で終了することなく、正常に高速再生を実施することができる。例えば、ＦＷＤＩ  １３までが記録されているが、＋１５のＶＯＢＵの先頭アドレスが必要な場合、ＦＷＤＩ  １３から＋１３のＶＯＢＵの先頭アドレスを見つけ、そのＶＯＢＵ＿ＳＲＩのＦＷＤＩ  ２から＋２のＶＯＢＵの先頭アドレスを見つけ、再生データを取得する。
【００８２】
変形例
なお、この発明は、上記実施形態そのままに限定されるものではなく、実施段階ではその要旨を逸脱しない範囲で構成要素を変形して具体化できる。また、上記実施形態に開示される複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８３】
【図１】この発明の実施の形態を示すもので、光ディスク再生装置を説明するために示すブロック構成図。
【図２】同実施の形態における光ディスクに記録されたデータの階層構造を説明するために示す図。
【図３】同実施の形態における光ディスクに記録されたナビゲーションパックの階層構造を説明するために示す図。
【図４】同実施の形態における光ディスクに記録されたナビゲーションパックの中の一部を説明するために示す図。
【図５】同実施の形態における光ディスクからその記録情報を読み取る場合の高速再生動作を説明するために示すフローチャート。
【図６】第２の実施の形態における光ディスクからその記録情報を読み取る場合の高速再生動作を説明するために示すフローチャート。
【符号の説明】
【００８４】
１０…光ディスク、１１…光ディスク再生装置、１２…ＭＰＵ部、１３…ＭＰＥＧデコーダ部、１４…Ｄ／Ａ変換部、１５…ディスクドライブ部、１６…システムプロセッサ部、１７…ワークメモリ部、１８…ＳＰデコーダ部、１９…オーディオデコーダ部、２０…ビデオメモリ部、２１…操作キーパネル、２２…ビデオプロセッサ部、２３…内部バス、２４…不揮発性メモリ部、２５…スピーカ、２６…ＴＶモニタ。
【図１】
2006202402.tif 000003
【図２】
2006202402.tif 000004
【図３】
2006202402.tif 000005
【図４】
2006202402.tif 000006
【図５】
2006202402.tif 000007
【図６】
2006202402.tif 000008